(57)【要約】【課題】  同時放送の受信処理において、利用者の利便性を向上させる。【解決手段】  時間差検出部１４５が、Ｂ階層データＢＡＶと当該データよりも遅れて生成されるＡ階層データＡＡＶとの時間差ＤＬＴを検出する。そして、制御ユニット１９０が、選局直後に、Ａ階層データＡＡＶに基づく再生出力がされるときには、直ちにＢ階層データＢＡＶに対して時間差ＤＬＴの遅延を付与させる遅延調整指令ＤＡＣを生成する。一方、選局直後に、Ｂ階層データＢＤＶに基づく再生出力がされるときには、遅延調整を行わない旨の遅延調整指令ＤＡＣを生成する。そして、Ａ階層データＡＡＶに基づく再生出力に切り換えられた場合に、制御ユニット１９０が、Ｂ階層データＢＡＶに対して時間差ＤＬＴの遅延を付与させる遅延調整指令ＤＡＣを生成する。こうして生成された遅延調整指令ＤＡＣは、遅延調整部１４６へ送られる。【選択図】  図３
2010035093.tif 000002
【特許請求の範囲】
【請求項１】
移動体とともに移動し、放送波の受信品質の劣化に対する耐性が互いに異なる第１放送及び第２放送を含む複数の放送によって、同一番組が同一時間帯に放送される同時放送を受信する放送受信装置であって、
前記第１放送に関する再生処理を行い、第１再生処理結果を生成する第１再生処理手段と；
前記第２放送に関する再生処理を行い、前記第１再生処理結果よりも遅いタイミングで第２再生処理結果を生成する第２再生処理手段と；
前記第１及び第２再生処理結果の一方を選択して出力する選択手段と；
前記第１再生処理結果の前記選択手段への供給に際しての遅延調整を行う調整手段と；
前記放送波の受信品質を計測する計測手段と；
前記第１再生処理結果の生成タイミングと、前記第２再生処理結果の生成タイミングとの時間差を検出する検出手段と；
前記計測手段による計測結果に基づいて、前記選択手段に対して、前記第１及び第２再生処理結果のいずれを選択すべきかを制御するとともに、前記検出手段による検出結果に基づいて、前記調整手段による遅延調整の態様を制御する制御手段と；を備え、
前記制御手段は、
前記同時放送の物理チャンネルの選局の直後には、前記調整手段に前記遅延調整を行わせずに、前記計測手段による計測結果に基づいて前記選択手段に対する制御を開始し、
前記選局の直後に選択された再生処理結果が、前記第２再生処理結果であった場合には、前記第１再生処理結果に対して前記時間差の遅延を付与させる固定遅延指令を、前記調整手段へ向けて発行し、
前記選局の直後に選択された再生処理結果が、前記第１再生処理結果であった場合には、その後における前記選択手段に対する選択切換制御の発生又は時間経過に対応して、前記遅延調整の態様を制御する、
ことを特徴とする放送受信装置。
【請求項２】
前記制御手段は、前記選局の直後に選択された再生処理結果が、前記第１再生処理結果である場合には、その後に前記計測結果に基づいて前記第２再生処理結果を前記選択手段に選択させた時点で、前記固定遅延指令を前記調整手段に向けて発行する、ことを特徴とする請求項１に記載の放送受信装置。
【請求項３】
前記制御手段は、前記選局の直後に選択された再生処理結果が、前記第１再生処理結果である場合には、前記第１再生処理結果に付与する遅延量を前記時間差まで徐々に増加させる遅延漸増指令を前記調整手段に向けて発行し、
前記調整手段は、前記遅延漸増指令を受けた場合に、前記第１再生処理結果に付与する遅延量を前記時間差まで徐々に増加させる、
ことを特徴とする請求項１に記載の放送受信装置。
【請求項４】
前記調整手段は、前記遅延漸増指令を受けた場合、前記第１再生処理結果における映像データについては、定期的に直前のフレームデータと同一の冗長なフレームデータを挿入する、ことを特徴とする請求項３に記載の放送受信装置。
【請求項５】
前記調整手段は、前記遅延漸増指令を受けた場合、前記第１再生処理結果における音声データについては、再生速度を徐々に低下させる再生速度調整を行う、ことを特徴とする請求項３又は４に記載の放送受信装置。
【請求項６】
前記調整手段は、前記遅延漸増指令を受けた場合、前記音声データに対して、前記再生速度調整による再生速度の低下に伴う聴感の変化を補償する周波数変換を更に行う、ことを特徴とする請求項５に記載の放送受信装置。
【請求項７】
移動体とともに移動し、放送波の受信品質の劣化に対する耐性が互いに異なる第１放送及び第２放送を含む複数の放送によって、同一番組が同一時間帯に放送される同時放送を受信する放送受信装置において使用される放送受信方法であって、
前記第１及び第２放送に関する再生処理を行い、第１及び第２再生処理結果を生成する再生処理工程と；
前記放送波の受信品質を計測する計測工程と；
前記第１再生処理結果の生成タイミングと、前記第２再生処理結果の生成タイミングとの時間差を検出する検出工程と；
前記計測工程における計測結果に基づいて、前記第１及び第２再生処理結果のいずれを再生出力用に選択すべきかの選択切換制御を行うとともに、前記検出工程における検出結果に基づいて、前記第１再生処理結果と前記第２再生処理結果とのタイミング調整態様の制御を行う制御工程と；を備え、
前記制御工程では、
前記同時放送の物理チャンネルの選局直後には、前記タイミング調整態様の制御を行わずに、前記計測工程における計測結果に基づいて前記選択制御を行い、
前記選局直後に選択された再生処理結果が、生成タイミングがより遅い遅延再生処理結果である場合には、生成タイミングがより速い先行再生処理結果に対して前記時間差の遅延を付与させる制御を行い、
前記選局直後に選択された再生処理結果が、前記先行再生処理結果である場合には、その後における前記選択切換制御の発生又は時間経過に対応して、前記タイミング調整態様の制御を行う、
ことを特徴とする放送受信方法。
【請求項８】
請求項７に記載の放送受信方法を演算手段に実行させる、ことを特徴とする放送受信プログラム。
【請求項９】
請求項８に記載の放送受信プログラムが、演算手段により読み取り可能に記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
近年、放送のデジタル化が進められ、地上デジタル放送、ＢＳ（Broadcasting Satellite）デジタル放送及びＣＳ（Communication Satellite）放送が実用化されている。こうしたデジタル放送は、ＩＳＤＢ−Ｔ（International Services Digital Broadcasting  Terrestrial）規格に準拠した階層伝送と呼ばれる伝送方式を採用している。
【０００３】
かかる階層伝送は、１つのチャンネル（伝送帯域）内を複数の領域（「セグメント」と呼ばれる）に分割し、セグメントごとに異なる変調方式で放送信号を伝送して、異なる複数の放送を同一チャンネルで同時に放送する伝送方式である。例えば、現行の地上デジタル放送では、１チャンネル内を１３個のセグメントに分割して、Ａ階層として中心の１個のセグメントに１つの放送信号を変調し、Ｂ階層として残りの１２個のセグメントに他の１つの放送信号を変調するようになっている。そして、Ａ階層放送及びＢ階層放送において、同一の番組を同時に放送する同時放送（サイマル放送）が行われるようになっている。
【０００４】
上記の同時放送を受信する放送受信装置においては、放送波の受信品質を参照し、受信品質が良好なときにはエラー耐性の低いＢ階層放送に基づく再生出力を行い、受信品質が良好でないときにはエラー耐性の高いＡ階層放送に基づく再生出力を行うようになっている。ところで、１セグメントを使用した放送（以下、「ワンセグ放送」とも呼ぶ）と、１２セグメントを使用した放送（以下、「１２セグ放送」とも呼ぶ）とでは、インターリーブに関する伝送パラメータが異なっている。このため、ワンセグ放送と１２セグ放送とでは、インターリーブ及びデインターリーブに要する処理時間が異なるため、放送間に遅延時間差が発生することになる。かかる放送間の遅延時間は、放送切換時に、聴取者に違和感を与えるものである。
【０００５】
こうした放送切換時に発生する遅延時間を解消させるため、ワンセグ放送と１２セグ放送との再生出力内容を正確に同期させる放送受信装置が提案されている（特許文献１参照：以下、「従来例」という）。この従来例の技術は、ＯＦＤＭ（Orthogonal Frequency Division Multiplex）セグメント数、変調方式及び時間インターリーブ長に基づいて、各放送の復号信号間の同期ずれを予測し、当該予測された同期ずれに基づいて検索範囲を設定する。そして、検索範囲内において、各放送の復号信号と比較し、最も近い内容を持つフレーム間の時間差を同期ずれとして検出し、当該同期ずれを補償するように各放送の復号信号の出力タイミングを制御するようにしている。
【０００６】
なお、現行の地上デジタル放送では、上述したインターリーブに関する伝送パラメータの違いから、１２セグ放送に基づく再生結果が、ワンセグ放送に基づく再生結果に比べて速く生成されるようになっている。このため、上述した従来例の技術では、１２セグ放送に基づく再生結果に対して、同期ずれに対応する遅延量を付与するようになっている。
【０００７】
【特許文献１】特開２００７−３０６３６３号公報
【発明の開示】
【発明が解決しようとする課題】
【０００８】
ところで、新たな放送チャンネルを選択したときに、放送波の受信品質が良好であった場合には、１２セグ放送に基づく再生出力が選択されるが、上述した従来例の技術では、１２セグ放送とワンセグ放送との同期ずれに相当する時間分だけ、新たな放送チャンネルの放送番組を視聴することができない。こうした事態の発生は、新たな放送チャンネルを選択したときに、早く視聴を開始したいという利用者の要望に反することになる。
【０００９】
一方で、従来例の技術のように、１２セグ放送とワンセグ放送との切換時に、同期ずれによる違和感の発生を極力防止することも求められている。
【００１０】
このため、同時放送の受信処理において、新たな放送チャンネルの選択時、及び、放送波の受信品質に基づく同時放送を行っている放送間の切換時に、利用者が感じる違和感を総合的に低減できる技術が待望されている。かかる要請に応えることが、本発明が解決すべき課題の一つとして挙げられる。
【００１１】
本発明は、上記の事情を鑑みてなされたものであり、同時放送の受信処理において、利用者の利便性を向上することができる新たな放送受信装置及び放送受信方法を提供することを目的とする。
【課題を解決するための手段】
【００１２】
請求項１に記載の発明は、移動体とともに移動し、放送波の受信品質の劣化に対する耐性が互いに異なる第１放送及び第２放送を含む複数の放送によって、同一番組が同一時間帯に放送される同時放送を受信する放送受信装置であって、前記第１放送に関する再生処理を行い、第１再生処理結果を生成する第１再生処理手段と；前記第２放送に関する再生処理を行い、前記第１再生処理結果よりも遅いタイミングで第２再生処理結果を生成する第２再生処理手段と；前記第１及び第２再生処理結果の一方を選択して出力する選択手段と；前記第１再生処理結果の前記選択手段への供給に際しての遅延調整を行う調整手段と；前記放送波の受信品質を計測する計測手段と；前記第１再生処理結果の生成タイミングと、前記第２再生処理結果の生成タイミングとの時間差を検出する検出手段と；前記計測手段による計測結果に基づいて、前記選択手段に対して、前記第１及び第２再生処理結果のいずれを選択すべきかを制御するとともに、前記検出手段による検出結果に基づいて、前記調整手段による遅延調整の態様を制御する制御手段と；を備え、前記制御手段は、前記同時放送の物理チャンネルの選局の直後には、前記調整手段に前記遅延調整を行わせずに、前記計測手段による計測結果に基づいて前記選択手段に対する制御を開始し、前記選局の直後に選択された再生処理結果が、前記第２再生処理結果であった場合には、前記第１再生処理結果に対して前記時間差の遅延を付与させる固定遅延指令を、前記調整手段へ向けて発行し、前記選局の直後に選択された再生処理結果が、前記第１再生処理結果であった場合には、その後における前記選択手段に対する選択切換制御の発生又は時間経過に対応して、前記遅延調整の態様を制御する、ことを特徴とする放送受信装置である。
【００１３】
請求項７に記載の発明は、移動体とともに移動し、放送波の受信品質の劣化に対する耐性が互いに異なる第１放送及び第２放送を含む複数の放送によって、同一番組が同一時間帯に放送される同時放送を受信する放送受信装置において使用される放送受信方法であって、前記第１及び第２放送に関する再生処理を行い、第１及び第２再生処理結果を生成する再生処理工程と；前記放送波の受信品質を計測する計測工程と；前記第１再生処理結果の生成タイミングと、前記第２再生処理結果の生成タイミングとの時間差を検出する検出工程と；前記計測工程における計測結果に基づいて、前記第１及び第２再生処理結果のいずれを再生出力用に選択すべきかの選択切換制御を行うとともに、前記検出工程における検出結果に基づいて、前記第１再生処理結果と前記第２再生処理結果とのタイミング調整態様の制御を行う制御工程と；を備え、前記制御工程では、前記同時放送の物理チャンネルの選局直後には、前記タイミング調整態様の制御を行わずに、前記計測工程における計測結果に基づいて前記選択制御を行い、前記選局直後に選択された再生処理結果が、生成タイミングがより遅い遅延再生処理結果である場合には、生成タイミングがより速い先行再生処理結果に対して前記時間差の遅延を付与させる制御を行い、前記選局直後に選択された再生処理結果が、前記先行再生処理結果である場合には、その後における前記選択切換制御の発生又は時間経過に対応して、前記タイミング調整態様の制御を行う、ことを特徴とする放送受信方法である。
【００１４】
請求項８に記載の発明は、請求項７に記載の放送受信方法を演算手段に実行させる、ことを特徴とする放送受信プログラムである。
【００１５】
請求項９に記載の発明は、請求項８に記載の放送受信プログラムが、演算手段により読み取り可能に記録されている、ことを特徴とする記録媒体である。
【発明を実施するための最良の形態】
【００１６】
以下、本発明の一実施形態を、図１〜図５を参照して説明する。なお、以下の説明及び図面においては、同一又は同等の要素には同一の符号を付し、重複する説明を省略する。
【００１７】
［構成］
図１には、一実施形態に係る放送受信装置１００の概略的な構成がブロック図にて示されている。この放送受信装置１００は、車両に搭載され、地上デジタル放送において同時放送が行われているＡ階層放送（ワンセグ放送）とＢ階層放送（１２セグ放送）とを受信する放送受信装置である。
【００１８】
この図１に示されるように、放送受信装置１００は、アンテナ１１０と、ＲＦ処理ユニット１２０と、計測手段としてのチャンネルデコードユニット１３０と、ソースデコードユニット１４０と、選択手段としての選択ユニット１５０とを備えている。また、放送受信装置１００は、音出力ユニット１６０と、表示ユニット１７０と、操作入力ユニット１８０とを備えている。さらに、放送受信装置１００は、制御手段としての制御ユニット１９０を備えている。
【００１９】
上記のアンテナ１１０は、放送波を受信する。アンテナ１１０による受信結果は、受信信号ＲＦＳとしてＲＦ処理ユニット１２０へ送られる。
【００２０】
上記のＲＦ処理ユニット１２０は、制御ユニット１９０から供給された選局指令ＣＳＬに従って、選択すべきチャンネルの信号を受信信号ＲＦＳから抽出する選局処理を行う。かかる機能を有するＲＦ処理ユニット１２０は、入力フィルタ、高周波増幅器、バンドパスフィルタ（以下、「ＲＦフィルタ」とも呼ぶ）、ミキサ（混合器）、中間周波フィルタ（以下、「ＩＦフィルタ」とも呼ぶ）、局部発振回路等（いずれも不図示）を備えて構成されている。
【００２１】
このＲＦ処理ユニット１２０では、アンテナ１１０からの受信信号ＲＦＳが、入力フィルタを通過することにより、帯域外成分が除去された後、高周波増幅器により増幅される。こうして高周波増幅器により増幅された信号は、ＲＦフィルタにより、特定の高周波数範囲の信号が抽出された後、ミキサにおいて、制御ユニット１９０からの選局指令ＣＳＬに従って局部発振回路により生成された希望局に対応する周波数を有する局部発振信号と混合される。ミキサによる混合結果からＩＦフィルタにより予め定められた中間周波数帯の信号が選択される。この選択結果が、アナログデジタル変換された後、選局信号ＣＳＳとして、チャンネルデコードユニット１３０へ送られる。
【００２２】
なお、選局指令ＣＳＬはデジタル形式で制御ユニット１９０から出力されるが、デジタルアナログ変換された後に、局部発振回路において利用されるようになっている。
【００２３】
上記のチャンネルデコードユニット１３０は、制御ユニット１９０による制御のもとで、ＲＦ処理ユニット１２０からの選局信号ＣＳＳのＯＦＤＭ復調処理等を行った後、復調結果に基づくデータパケット生成を行う。こうして生成されたパケットＰＫＤは、ソースデコードユニット１４０へ送られる。なお、チャンネルデコードユニット１３０から送られるパケットＰＫＤには、Ａ階層パケットＡＰＫ及びＢ階層パケットＢＰＫが含まれている（図２参照）。
【００２４】
また、チャンネルデコードユニット１３０は、ＯＦＤＭフレームに含まれるＴＭＣＣ（Transmission Multiplexing Configuration Control）信号をデコードして、ＯＦＤＭセグメント数、変調方式及び時間インターリーブ長を抽出して、伝送パラメータＰＲＭとしてソースデコードユニット１４０へ送る。
【００２５】
また、チャンネルデコードユニット１３０は、選局信号ＣＳＳのＳＮＲ（Signal to Noise Ratio）値を検出する。この検出結果は、検出値ＳＮＲとして制御ユニット１９０へ送られる。
【００２６】
上記のソースデコードユニット１４０は、制御ユニット１９０による制御のもとで、チャンネルデコードユニット１３０からのパケットＰＫＤを処理して、選択ユニット１５０へ供給するためのＡ階層データＡＡＶ及びＢ階層データＢＤＶを生成する。かかる機能を有するソースデコードユニット１４０は、図２に示されるように、パケット分離部１４１と、階層処理部１４２とを備えている。
【００２７】
上記のパケット分離部１４１は、チャンネルデコードユニット１３０からのパケットＰＫＤを受ける。そして、パケット分離部１４１は、パケットＰＫＤをＡ階層パケットＡＰＫとＢ階層パケットＢＰＫとに分離する。こうして分離されたＡ階層パケットＡＰＫ及びＢ階層パケットＢＰＫは、階層処理部１４２へ送られる。
【００２８】
上記の階層処理部１４２は、制御ユニット１９０による制御のもとで、Ａ階層パケットＡＰＫ及びＢ階層パケットＢＰＫのソースデコード処理を行うとともに、ソースデコード処理結果の選択ユニット１５０への供給タイミングの調整を行う。この階層処理部１４２は、図３に示されるように、第２再生処理手段としてのＡ階層処理部１４３と、第１再生処理手段としてのＢ階層処理部１４４とを備えている。また、階層処理部１４２は、検出手段としての時間差検出部１４５と、調整手段としての遅延調整部１４６とを備えている。
【００２９】
上記のＡ階層処理部１４３は、パケット分離部１４１からのＡ階層パケットＡＰＫを受ける。そして、Ａ階層処理部１４３は、制御ユニット１９０による制御のもとで、地上デジタル放送におけるＡ階層放送に採用されているＨ．２６４／ＡＶＣ方式でエンコード化されたＡ階層パケットＡＰＫのソースデコード処理を行い、Ａ階層放送に対応する音声データ及び映像データであるＡ階層データＡＡＶを生成する。こうして生成されたＡ階層データＡＡＶは、選択ユニット１５０及び時間差検出部１４５へ送られる。
【００３０】
上記のＢ階層処理部１４４は、パケット分離部１４１からのＢ階層パケットＢＰＫを受ける。そして、Ｂ階層処理部１４４は、制御ユニット１９０による制御のもとで、地上デジタル放送におけるＢ階層放送に採用されているＭＰＥＧ２方式でエンコード化されたＢ階層パケットＢＰＫのソースデコード処理を行い、Ｂ階層放送に対応する音声データ及び映像データであるＢ階層データＢＡＶを生成する。こうして生成されたＢ階層データＢＡＶは、時間差検出部１４５及び遅延調整部１４６へ送られる。
【００３１】
上記の時間差検出部１４５は、Ｂ階層データＢＡＶの生成タイミングと、Ａ階層データＡＡＶの生成タイミングとの時間差ＤＬＴを検出する。そして、時間差検出部１４５は、時間差ＤＬＴを制御ユニット１９０へ送る。
【００３２】
時間差検出部１４５は、本実施形態では、上述した時間差ＤＬＴの検出に際して、チャンネルデコードユニット１３０からの伝送パラメータＰＲＭを受ける。また、時間差検出部１４５は、Ａ階層処理部１４３からのＡ階層データＡＡＶを受けるとともに、Ｂ階層処理部１４４からのＢ階層データＢＡＶを受ける。
【００３３】
そして、時間差検出部１４５は、伝送パラメータＰＲＭに基づいて、Ａ階層放送とＢ階層放送との遅延時間差を予測し、当該予測された遅延時間差に基づいて検索範囲を設定する。引き続き、時間差検出部１４５は、Ｂ階層データＢＡＶに含まれる映像データの画像フレームの中から基準となる基準フレームを選択する。そして、Ａ階層データＡＡＶに含まれる映像データの画像フレームの中から、設定された検索範囲内において基準フレームの内容と最も近い内容を持つ画像フレームを検索する。この後、時間差検出部１４５は、上記の検索の結果によって得られた組み合わせの画像フレーム間の時間差ＤＬＴを検出する。
【００３４】
上記の遅延調整部１４６は、バッファ等を備えて構成されている。この遅延調整部１４６は、制御ユニット１９０による遅延調整指令ＤＡＣに従ったタイミングで、バッファに記録されているＢ階層データを、順次、Ｂ階層データＢＤＶとして読み出す。こうして読み出されたＢ階層データＢＤＶは、遅延調整指令ＤＡＣにより指定される供給タイミングの調整がなされたものとなっている。かかるＢ階層データＢＤＶは、選択ユニット１５０へ送られる。
【００３５】
図１に戻り、上記の選択ユニット１５０は、ソースデコードユニット１４０からのＡ階層データＡＡＶ及びＢ階層データＢＤＶを受ける。そして、選択ユニット１５０は、制御ユニット１９０による選択指令ＳＬＳに従って、Ａ階層データＡＡＶ及びＢ階層データＢＤＶのいずれかを選択する。こうして選択ユニット１５０において選択された階層データにおける音声データが、出力音声データＡＤＴとして音出力ユニット１６０へ送られる。また、選択ユニット１５０において選択された階層データにおける映像データが、出力映像データＶＤＴとして表示ユニット１７０へ送られる。
【００３６】
上記の音出力ユニット１６０は、（ｉ）選択ユニット１５０から受信した出力音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０により、選択ユニット１５０において選択された放送の音声が再生される。
【００３７】
上記の表示ユニット１７０は、例えば、（ｉ）液晶パネル、有機ＥＬ（Electro Luminescence）パネル、ＰＤＰ（Plasma Display Panel）等の表示デバイスと、（ii）選択ユニット１５０から受信した出力映像データＶＤＴに従って、当該表示デバイスに画像を表示させる表示制御回路とを備えている。この表示ユニット１７０により、選択ユニット１５０において選択された放送の映像が再生される。
【００３８】
上記の操作入力ユニット１８０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００３９】
この操作入力ユニット１８０を利用者が操作することにより、放送受信装置１００の動作内容の設定が行われる。例えば、選局チャンネルの指定等を、利用者が操作入力ユニット１８０を利用して行う。操作入力ユニット１８０への操作入力結果は、操作入力データＩＰＤとして制御ユニット１９０へ送られる。
【００４０】
上記の制御ユニット１９０は、放送受信装置１００の動作の制御を行う。かかる機能を有する制御ユニット１９０は、図４に示されるように、遅延量決定部１９１と、制御処理部１９２とを備えている。
【００４１】
上記の遅延量決定部１９１は、Ｂ階層データＢＡＶの選択ユニット１５０への供給タイミングを決定する。この遅延量決定部１９１は、地上デジタルの再生処理中に、制御処理部１９２から選局指令ＣＳＬ及び選択指令ＳＬＳを受けるとともに、時間差検出部１４５から時間差ＤＬＴを受ける。
【００４２】
当該供給タイミングの決定に際して、まず、遅延量決定部１９１は、チャンネルの選局の直後に、選択指令ＳＬＳがＡ階層データＡＡＶを選択すべき指令であるときは、Ｂ階層データＢＡＶに対して時間差ＤＬＴの遅延を付与させる遅延調整指令ＤＡＣを生成する。
【００４３】
一方、遅延量決定部１９１は、チャンネルの選局の直後に、選択指令ＳＬＳがＢ階層データＢＤＶを選択すべき指令であるときは、Ｂ階層データＢＡＶに対して遅延調整を行わない旨の遅延調整指令ＤＡＣを生成する。そして、その後に、選択指令ＳＬＳがＡ階層データＡＡＶを選択すべき指令となった場合に、Ｂ階層データＢＡＶに対して時間差ＤＬＴの遅延を付与させる遅延調整指令ＤＡＣを生成する。こうして生成された遅延調整指令ＤＡＣは、遅延調整部１４６へ送られる。
【００４４】
上記の制御処理部１９２は、操作入力ユニット１８０に入力された選局チャンネル指定を操作入力データＩＰＤとして受ける。そして、制御処理部１９２は、当該選局チャンネル指定に従って、指定されたチャンネルの選択を行わせるための選局指令ＣＳＬを生成し、ＲＦ処理ユニット１２０及び遅延量決定部１９１へ送る。
【００４５】
また、制御処理部１９２は、チャンネルデコードユニット１３０からの検出値ＳＮＲに基づいて選択指令ＳＬＳを生成し、選択ユニット１５０及び遅延量決定部１９１へ送る。より具体的には、検出値ＳＮＲが所定の値以上である場合には、制御処理部１９２は、遅延調整部１４６からのＢ階層データＢＤＶを選択すべき旨の選択指令ＳＬＳを生成し、選択ユニット１５０及び遅延量決定部１９１へ向けて出力する。一方、検出値ＳＮＲが所定の値未満である場合には、制御処理部１９２は、Ａ階層処理部１４３からのＡ階層データＡＡＶを選択すべき旨の選択指令ＳＬＳを生成し、選択ユニット１５０及び遅延量決定部１９１へ向けて出力する。
【００４６】
なお、デジタル放送間の切換の指標となる検出値ＳＮＲの所定の値は、実験、シミュレーション、経験等に基づいて、予め定められる。
【００４７】
［動作］
以上にようにして構成された放送受信装置１００の動作について、制御ユニット１９０における遅延調整処理に主に着目して説明する。なお、当該遅延調整処理は、Ｂ階層データＢＡＶに対して時間差ＤＬＴの固定遅延を付与させる処理である。
【００４８】
放送受信装置１００における遅延調整処理は、図５に示されるように、ステップＳ１１において、利用者が当該装置の電源を投入し、操作入力ユニット１８０を利用して、チャンネルの選局設定指令を入力することにより開始する。
【００４９】
このステップＳ１１の処理が行われると、制御処理部１９２がチャンネルの選局設定指令に対応する選局指令ＣＳＬを生成し、ＲＦ処理ユニット１２０及び遅延量決定部１９１へ送る。選局指令ＣＳＬを受けたＲＦ処理ユニット１２０では、受信信号ＲＦＳの選局処理が行われ、選局処理結果である選局信号ＣＳＳがチャンネルデコードユニット１３０へ送られる。チャンネルデコードユニット１３０では、選局信号ＣＳＳからパケットＰＫＤを生成してソースデコードユニット１４０へ送るとともに、逐次、選局信号ＣＳＳのＳＮＲ値を検出して制御処理部１９２へ送る。そして、パケットＰＫＤを受けたソースデコードユニット１４０では、パケットＰＫＤをＡ階層パケットＡＰＫとＢ階層パケットＢＰＫとに分離し、各パケットに対してソースデコード処理を行う。
【００５０】
また、ＳＮＲ値を受けた制御処理部１９２では、当該ＳＮＲ値に基づいて、ソースデコードユニット１４０からのＡ階層データＡＡＶ及びＢ階層データＢＤＶのいずれを選択すべきかを指定した選択指令ＳＬＳを生成し、選択ユニット１５０及び遅延量決定部１９１へ送る。
【００５１】
引き続き、ステップＳ１２において、遅延量決定部１９１が、選択指令ＳＬＳによりＢ階層データＢＤＶが選択されているか否かを判定する。この判定の結果が否定的であった場合（ステップＳ１２：Ｎ）には、処理はステップＳ１４へ進む。
【００５２】
ステップＳ１４では、遅延量決定部１９１が、Ｂ階層データＢＡＶに対して時間差ＤＬＴの遅延を付与させる遅延調整指令ＤＡＣを生成し、遅延調整部１４６へ送る。この結果、Ｂ階層データＢＡＶに対して時間差ＤＬＴの遅延が付与されたＢ階層データＢＤＶが、選択ユニットに供給される。
【００５３】
一方、ステップＳ１２における判定の結果が肯定的であった場合（ステップＳ１２：Ｙ）には、処理はステップＳ１３へ進む。
【００５４】
ステップＳ１３では、遅延量決定部１９１が、選択指令ＳＬＳによりＡ階層データＡＡＶが選択されたか否かを判定する。この判定の結果が否定的であった場合（ステップＳ１３：Ｎ）には、ステップＳ１３の処理が繰り返される。
【００５５】
一方、ステップＳ１３における判定の結果が肯定的になると（ステップＳ１３：Ｙ）、処理はステップＳ１４へ進む。このステップＳ１４では、Ｂ階層データに対する遅延付与処理が行われる。
【００５６】
かかる遅延付与処理に際し、チャンネルの選局当初に、選択指令ＳＬＳによりＡ階層データが選択されている場合（ステップＳ１２：Ｎ）には、Ａ階層データの再生出力中に、Ｂ階層データに対する遅延付与処理が行われる。このため、放送間の切換時に、同期ずれの発生が防止できる。
【００５７】
一方、チャンネルの選局当初に、選択指令ＳＬＳによりＢ階層データが選択されている場合（ステップＳ１２：Ｙ）には、再生出力がＡ階層データに切換った際に（ステップＳ１３：Ｙ）、利用者は、視聴済みの再生結果を再度視聴することになる。こうした同期ずれは、視聴できない部分が発生する同期ずれの場合と異なり、利用者の違和感はそれほど大きくない。また、チャンネルの選局直後に、遅延付与処理を施さずにＢ階層データの再生出力を行うので、新たな放送チャンネルを選局したときに早く視聴を開始したいという利用者の要望に沿うものとなる。
【００５８】
引き続き、ステップＳ１５では、遅延量決定部１９１が、選局指令ＣＳＬを参照して、チャンネルの選局変更があったか否かを判定する。この判定の結果が否定的であった場合（ステップＳ１５：Ｎ）には、ステップＳ１５の処理が繰り返される。
【００５９】
一方、ステップＳ１５における判定の結果が肯定的になると（ステップＳ１５：Ｙ）、処理はステップＳ１２へ戻る。
【００６０】
上記の処理を実行することにより、Ｂ階層データＢＡＶの遅延調整処理が行われる。
【００６１】
以上説明したように、本実施形態では、ＲＦ処理ユニット１２０に対して選局指令ＣＳＬにより指定された物理チャンネルの放送波の受信品質を示すＳＮＲを、チャンネルデコードユニット１３０が検出する。この検出結果に基づいて、制御処理部１９２が、Ａ階層放送とＢ階層放送との切換判定を行い、選択指令ＳＬＳを生成する。また、時間差検出部１４５が、Ｂ階層データＢＡＶの生成タイミングと、Ａ階層データＡＡＶの生成タイミングとの時間差ＤＬＴを検出する。そして、遅延量決定部１９１が、選局指令ＣＳＬ、選択指令ＳＬＳ、時間差ＤＬＴに基づき、Ｂ階層データＢＡＶの選択ユニット１５０への供給タイミングを決定する。
【００６２】
かかるＢ階層データＢＡＶの選択ユニット１５０への供給タイミングの決定に際して、遅延量決定部１９１は、チャンネルの選局の直後に、選択指令ＳＬＳがＡ階層データＡＡＶを選択すべき指令であるときは、Ｂ階層データＢＡＶに対して時間差ＤＬＴの遅延を付与させる遅延調整指令ＤＡＣを生成する。このため、チャンネルの選局の直後に、Ｂ階層放送に基づく視聴を直ちに可能とすることができるとともに、その後の放送間の切換時に、同期ずれの発生を防止することができる。
【００６３】
一方、遅延量決定部１９１は、チャンネルの選局の直後に、選択指令ＳＬＳがＢ階層データＢＤＶを選択すべき指令であるときは、Ｂ階層データＢＡＶに対して遅延調整を行わない旨の遅延調整指令ＤＡＣを生成する。そして、その後に、選択指令ＳＬＳがＡ階層データＡＡＶを選択すべき指令となった場合に、Ｂ階層データＢＡＶに対して時間差ＤＬＴの遅延を付与させる遅延調整指令ＤＡＣを生成する。このため、チャンネルの選局の直後に、Ａ階層放送に基づく視聴を直ちに可能とすることができるとともに、同期ずれの発生を、その後における最初のＢ階層放送への切換時のみに制限することができる。なお、この同期ずれは、上述のように、利用者にとって違和感の小さいものである。
【００６４】
したがって、本実施形態によれば、同時放送の受信処理において、利用者の利便性を向上させることができる。
【００６５】
［実施形態の変形］
本発明は、上記の実施形態に限定されるものではなく、様々な変形が可能である。
【００６６】
例えば、上記の実施形態では、遅延量決定部は、チャンネルの選局の直後に、選択指令ＳＬＳがＢ階層データＢＤＶを選択すべき指令であるときは、Ｂ階層データＢＡＶに対して遅延調整を行わない旨の遅延調整指令ＤＡＣを生成することとした。これに対して、遅延量決定部は、チャンネルの選局の直後に選択された再生処理結果が、Ｂ階層データＢＤＶである場合に、Ｂ階層データＢＡＶに付与する遅延量を時間差ＤＬＴまで徐々に増加させる遅延漸増指令を遅延調整部に向けて発行し、遅延調整部は、Ｂ階層データＢＡＶに付与する遅延量を時間差ＤＬＴまで徐々に増加させるようにしてもよい。
【００６７】
この場合においては、例えば、図６に示されるように、遅延調整部１４６を、音声遅延調整部１４７Ａと、映像遅延調整部１４７Ｖとを備えて構成することができる。ここで、音声遅延調整部１４７Ａでは、例えば、Ｂ階層データＢＡＶにおける音声データＢＡＤについて、音声再生速度が徐々に遅くなる再生速度調整を実行するようにすることができる。また、映像遅延調整部１４７Ｖでは、例えば、Ｂ階層データＢＡＶにおける映像データＢＶＤに対して定期的に、直前のフレームデータと同一の冗長なフレームデータを挿入するようにすることができる。
【００６８】
なお、音声遅延調整部１４７Ａでは、音声データＢＡＤに対して、再生速度調整による再生速度の低下に伴う聴感の変化を補償する周波数変換を行ったうえで、再生速度調整を行うようにしてもよい。
【００６９】
また、上記の実施形態では、Ａ階層放送とＢ階層放送との２階層の放送が同一伝送チャンネルに含まれることにしたが、同一伝送チャンネルに含まれる階層放送の数は、３以上であってもよい。
【００７０】
また、上記の実施形態では、ＳＮＲ（Signal to Noise Ratio）に基づいて、放送波の受信品質を計測した。これに対して、放送波の受信品質の計測は、ＲＦ処理ユニットからの出力信号に対してＡＧＣ（Auto Gain Control）を行う場合におけるＡＧＣ信号の値、ミキサから取得可能なＲＳＳＩ（Received Signal Strength Indicator）、映像伝送方式にＭＰＥＧ２−ＴＳ方式を採用した場合におけるパケットエラーフラグ等に基づいて行うようにしてもよい。
【００７１】
また、上記の実施形態では、ＳＮＲに基づいて、検出値ＳＮＲが所定の値以上である場合にＢ階層放送に基づく再生出力を行い、検出値ＳＮＲが所定の値未満である場合にＡ階層放送からの再生出力を行うこととした。これに対して、Ａ階層放送からＢ階層放送へ切り換えるときの閾値を、Ｂ階層放送からＡ階層放送へ切り換えるときの閾値に比べて高く設定する等、両放送間の切換閾値を異なる値にしてもよい。
【００７２】
また、上記の実施形態では、Ｂ階層データの生成タイミングとＡ階層データの生成タイミングとの時間差を、伝送パラメータと、Ｂ階層データ及びＡ階層データに含まれる映像データの画像フレームとを使用して検出した。これに対して、時間差の検出方法は、伝送パラメータと、Ｂ階層データ及びＡ階層データに含まれる音声データの音声フレームとを使用する等、いかなる方法であってもよい。
【００７３】
また、上記の実施形態の放送受信装置は、車両に搭載されるものとしたが、車両以外の移動体に搭載されるものであってもよいし、また、地上デジタル放送の受信機能を備えた携帯電話装置であってもよい。
【００７４】
また、本発明は、日本国におけるデジタル放送波を受信する放送受信装置に限らず、国際的に承認されているデジタルテレビ放送のための標準規格であるＤＶＢ（Digital Video Broadcasting）を採用したデジタルテレビ放送波を受信する放送受信装置に適用することができるのは勿論である。
【００７５】
なお、上記の実施形態における制御ユニット１９０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００７６】
【図１】本発明の一実施形態に係る放送受信装置の構成を概略的に示すブロック図である。
【図２】図１のソースデコードユニットの構成を示すブロック図である。
【図３】図２の階層処理部の構成を示すブロック図である。
【図４】図１の制御ユニットの構成を示すブロック図である。
【図５】図１の装置による遅延調整処理を説明するためのフローチャートである。
【図６】変形例の遅延調整部を説明するためのブロック図である。
【符号の説明】
【００７７】
１００  …  放送受信装置
１３０  …  チャンネルデコードユニット（計測手段）
１４３  …  Ａ階層処理部（第２再生処理手段）
１４４  …  Ｂ階層処理部（第１再生処理手段）
１４５  …  時間差検出部（検出手段）
１４６  …  遅延調整部（調整手段）
１５０  …  選択ユニット（選択手段）
１９０  …  制御ユニット（制御手段）
【図１】
2010035093.tif 000003
【図２】
2010035093.tif 000004
【図３】
2010035093.tif 000005
【図４】
2010035093.tif 000006
【図５】
2010035093.tif 000007
【図６】
2010035093.tif 000008